(57)【特許請求の範囲】
【請求項１】
座標情報を含むデータを生成可能な情報入力装置であって、
複数のキャラクタの夫々について、前記キャラクタを表す線画を構成する線分の少なくとも始点及び終点を示す座標情報と、当該線分の順序の情報とを含む第一情報を記憶する第一記憶手段と、
前記情報入力装置に関する情報である第二情報を記憶する第二記憶手段と、
紙媒体を配置可能な検出領域を有し、前記検出領域に接触又は近接する記入手段の位置である検出位置を検出する検出手段と、
前記検出手段によって検出された前記検出位置に基づいて、前記記入手段によって記入された線画である第二線画に対応する検出位置を示す座標情報を含む第二線画データを取得する取得手段と、
前記取得手段によって取得された前記第二線画データを記憶する第三記憶手段と、
第一指示を入力可能な入力手段と、
前記入力手段を介して前記第一指示を受け付けたか否かを判断する第一判断手段と、
前記第一記憶手段に記憶された前記第一情報と、前記第二記憶手段に記憶された前記第二情報とに基づき、前記第二情報を示すキャラクタを表す線画である第一線画を構成する線分の少なくとも始点及び終点を示す座標情報と、当該線分の順序の情報とを含む第一線画データを生成する第一生成手段と、
前記第一判断手段によって前記第一指示が受け付けられたと判断されたことに応じて、前記第一生成手段が生成した前記第一線画データを、前記取得手段が取得した前記第二線画データとは別に外部機器に送信する送信手段と
を備えたことを特徴とする情報入力装置。
【請求項２】
前記第二情報は、前記情報入力装置のファームウェアのバージョン情報、前記第二線画データの保存回数、前記情報入力装置の電源ＯＮの回数、前記情報入力装置のエラー発生の回数、前記情報入力装置に装着された前記紙媒体の種類、日付、及び時刻の少なくとも何れかであることを特徴とする請求項１に記載の情報入力装置。
【請求項３】
前記外部機器からの前記第二情報を指定する指示を取得する指示取得手段を更に備え、
前記第一生成手段は、前記第一判断手段によって前記第一指示が受け付けられたと判断されたことに応じて、前記第二記憶手段に記憶された前記第二情報の内の、前記指示取得手段が取得した前記指示が指定する前記第二情報を示す前記第一線画データを生成し、
前記送信手段は、前記第一判断手段によって前記第一指示が受け付けられたと判断されたことに応じて生成された前記第一線画データを前記外部機器に送信することを特徴とする請求項１又は２に記載の情報入力装置。
【請求項４】
前記第一生成手段は、前記取得手段によって取得された前記第二線画データに含まれる前記座標情報が示す前記検出位置のうち、少なくとも一つの検出位置が、前記検出領域の一部の領域である指示領域にある場合に、前記第一線画データを生成することを特徴とする請求項１から３の何れかに記載の情報入力装置。
【請求項５】
前記第一線画データを記憶し、前記第三記憶手段とは異なる第四記憶手段と、
前記第一線画データを前記第四記憶手段に記憶する指示である第二指示を受け付けたか否かを判断する第二判断手段とを更に備え、
前記第一生成手段は、前記第二判断手段によって、前記第二指示が受け付けられたと判断されたことに応じて、前記第一線画データを生成し、
前記第二判断手段によって、前記第二指示が受け付けられたと判断されたことに応じて、前記第一線画データを前記第四記憶手段に記憶する記憶制御手段を更に備え、
前記送信手段は、前記第一判断手段によって前記第一指示が受け付けられたと判断されたことに応じて、前記第四記憶手段に記憶された前記第一線画データを前記外部機器に送信することを特徴とする請求項１から３の何れかに記載の情報入力装置。
【請求項６】
前記記憶制御手段は、前記第一判断手段によって前記第一指示が受け付けられていない場合には、前記取得手段が取得した前記第二線画データを、前記第三記憶手段に記憶する処理を実行することを特徴とする請求項５に記載の情報入力装置。
【請求項７】
複数のキャラクタの夫々について、前記キャラクタを表す線画を構成する線分の少なくとも始点及び終点を示す座標情報と、当該線分の順序の情報とを含む第一情報を記憶する第一記憶手段と、情報入力装置に関する情報である第二情報を記憶する第二記憶手段と、紙媒体を配置可能な検出領域を有し、前記検出領域に接触又は近接する記入手段の位置である検出位置を検出する検出手段と、第一指示を入力可能な入力手段とを備えた前記情報入力装置のコンピュータに、
前記検出手段によって検出された前記検出位置に基づいて、前記記入手段によって記入された線画である第二線画に対応する検出位置を示す座標情報を含む第二線画データを取得する取得ステップと、
前記取得ステップで取得された前記第二線画データを記憶する記憶ステップと、
前記入力手段を介して前記第一指示を受け付けたか否かを判断する判断ステップと、
前記第一記憶手段に記憶された前記第一情報と、前記第二記憶手段に記憶された前記第二情報とに基づき、前記第二情報を示すキャラクタを表す線画を構成する線分の少なくとも始点及び終点を示す座標情報と、当該線分の順序の情報とを含む第一線画データを生成する生成ステップと、
前記判断ステップで前記第一指示が受け付けられたと判断されたことに応じて、前記生成ステップで生成した前記第一線画データを、前記取得ステップで取得した前記第二線画データとは別に外部機器に送信する送信ステップと
を実行させるための制御プログラム。
【発明の詳細な説明】
【技術分野】
【０００１】
本発明は、座標情報を含むデータを生成できる情報入力装置及び制御プログラムに関する。
【背景技術】
【０００２】
筆記具の位置を示す座標情報を含むデータを生成できる情報入力装置が知られている（例えば、特許文献１）。特許文献１に開示の入力装置は、筆記具の軌跡における複数の位置を示す座標情報を含むストロークデータを生成する。入力装置は、生成したストロークデータを、パーソナルコンピュータ等の情報端末に送信する。情報端末は、受信したストロークデータに基づき、筆記具により筆記された線画を示す画像データを生成する。情報端末は、画像データに基づく画像をディスプレイに表示する。
【先行技術文献】
【特許文献】
【０００３】
【特許文献１】特開２０１５−２６２０９号公報
【発明の概要】
【発明が解決しようとする課題】
【０００４】
情報入力装置に関する情報を、ストロークデータ以外のデータとして記憶する情報入力装置が公知である。この情報入力装置は、情報入力装置に関する情報を示すデータを、ストロークデータとして生成しない。従って、この情報入力装置は、情報入力装置に関する情報を示すデータを、端末装置において容易に出力可能なデータとして生成できない可能性がある。
【０００５】
本発明の目的は、情報入力装置に関する情報を示すデータを、端末装置において容易に出力可能なデータとして生成できる情報入力装置及び制御プログラムを提供することである。
【課題を解決するための手段】
【０００６】
本発明の第一態様に係る情報入力装置は、座標情報を含むデータを生成可能な情報入力装置であって、複数のキャラクタの夫々について、前記キャラクタを表す線画を構成する線分の少なくとも始点及び終点を示す座標情報と、当該線分の順序の情報とを含む第一情報を記憶する第一記憶手段と、前記情報入力装置に関する情報である第二情報を記憶する第二記憶手段と、紙媒体を配置可能な検出領域を有し、前記検出領域に接触又は近接する記入手段の位置である検出位置を検出する検出手段と、前記検出手段によって検出された前記検出位置に基づいて、前記記入手段によって記入された線画である第二線画に対応する検出位置を示す座標情報を含む第二線画データを取得する取得手段と、前記取得手段によって取得された前記第二線画データを記憶する第三記憶手段と、第一指示を入力可能な入力手段と、前記入力手段を介して前記第一指示を受け付けたか否かを判断する第一判断手段と、前記第一記憶手段に記憶された前記第一情報と、前記第二記憶手段に記憶された前記第二情報とに基づき、前記第二情報を示すキャラクタを表す線画である第一線画を構成する線分の少なくとも始点及び終点を示す座標情報と、当該線分の順序の情報とを含む第一線画データを生成する第一生成手段と、前記第一判断手段によって前記第一指示が受け付けられたと判断されたことに応じて、前記第一生成手段が生成した前記第一線画データを、前記取得手段が取得した前記第二線画データとは別に外部機器に送信する送信手段とを備える。
【０００７】
第一態様によれば、第二情報を示すキャラクタを表す線画を示す座標情報を含む第一線画データを生成できる。従って、情報入力装置は、情報入力装置に関する情報を示すデータを、端末装置において容易に出力可能なデータとして生成できる。
【０００８】
第一態様に係る情報入力装置は、前記第一線画データを生成する指示である第一指示を受け付けたか否かを判断する第一判断手段を更に備え、前記第一生成手段は、前記第一判断手段によって前記第一指示が受け付けられたと判断されたことに応じて、前記第一線画データを生成してもよい。この場合、情報入力装置は、第一指示を受け付けた場合に、第一線画データを生成できる。
【０００９】
第一態様に係る情報入力装置は、前記第一指示を入力可能な入力手段を更に備え、前記第一判断手段は、前記入力手段を介して前記第一指示を受け付けたか否かを判断してもよい。この場合、ユーザは、入力手段を操作することにより、情報入力装置に第一線画データの生成を指示できる。
【００１０】
第一態様に係る情報入力装置は、検出領域を有し、前記検出領域に接触又は近接する記入手段の位置である検出位置を検出する検出手段と、前記検出手段によって検出された前記検出位置に基づいて、前記記入手段によって記入された線画である第二線画に対応する検出位置を示す座標情報を含む第二線画データを取得する取得手段とを更に備え、前記第一判断手段は、前記取得手段によって取得された前記第二線画データに含まれる前記座標情報が示す前記検出位置のうち、少なくとも一つの検出位置が、前記検出領域の一部の領域である指示領域にある場合に、前記第一指示を受け付けたと判断してもよい。この場合、ユーザは、指示領域に線画を記入することにより、情報入力装置に第一線画データの生成を指示できる。
【００１１】
第一態様に係る情報入力装置は、検出領域を有し、前記検出領域に接触又は近接する記入手段の位置である検出位置を検出する検出手段と、前記検出手段によって検出された前記検出位置に基づいて、前記記入手段によって記入された線画である第二線画に対応する検出位置を示す座標情報を含む第二線画データを取得する取得手段と、前記取得手段によって取得された前記第二線画データを記憶する第三記憶手段と、前記第一線画データを記憶し、前記第三記憶手段とは異なる第四記憶手段と、前記第一線画データを前記第四記憶手段に記憶する指示である第二指示を受け付けたか否かを判断する第二判断手段と、前記第二判断手段によって、前記第二指示が受け付けられたと判断されたことに応じて、前記第一線画データを前記第四記憶手段に記憶する記憶制御手段とを更に備えてもよい。
【００１２】
この場合、情報入力装置は、第二指示を受け付けた場合に、第一線画データを、第二線画データが記憶される第三記憶手段とは異なる第四記憶手段に記憶できる。従って、ユーザは、記入手段を用いて記入した線画を示す第二線画データと、情報入力装置に関する情報を示す第一線画データとを、異なる記憶手段に記憶するよう、情報入力装置に指示できる。
【００１３】
第一態様に係る情報入力装置は、検出領域を有し、前記検出領域に接触又は近接する記入手段の位置である検出位置を検出する検出手段と、前記検出手段によって検出された前記検出位置に基づいて、前記記入手段によって記入された線画である第二線画に対応する検出位置を示す座標情報を含む第二線画データを取得する取得手段と、前記第一生成手段によって生成された前記第一線画データと、前記取得手段によって取得された前記第二線画データとに基づいて、前記第一線画と前記第二線画とを示す座標情報を含む第三線画データを生成する第二生成手段とを更に備えてもよい。この場合、情報入力装置は、情報入力装置に関する情報と、記入手段を用いて記入された線画との両方を示す座標情報を含む第三線画データを生成できる。
【００１４】
第一態様に係る情報入力装置では、前記検出領域は、前記指示領域と、前記指示領域とは異なる領域である記入領域とを含み、前記第一生成手段によって生成された前記第一線画データと、前記取得手段によって取得された前記第二線画データのうち、前記記入領域における検出位置を示す座標情報を含む第三線画データとに基づいて、前記第一線画と前記記入領域に記入された線画とを示す座標情報を含む第四線画データを生成する第二生成手段を更に備えてもよい。この場合、情報入力装置は、情報入力装置に関する情報と、記入領域に記入された線画との両方を示す座標情報を含む第四線画データを生成できる。
【００１５】
第一態様に係る情報入力装置では、前記検出手段は、前記検出領域上に紙媒体を載置可能であり、前記第二線画は、前記記入手段によって前記紙媒体に記入された線画であってもよい。この場合、情報入力装置は、紙媒体に記入された線画を示すデータを、第二線画データとして取得できる。
【００１６】
第一態様に係る情報入力装置では、前記検出手段は、紙媒体に設けられたチェックボックスと前記指示領域とが対向するように、前記検出領域上に前記紙媒体を載置可能であり、前記第二線画は、前記記入手段によって前記紙媒体に記入された線画であってもよい。この場合、ユーザは、記入手段を用いて、紙媒体に設けられたチェックボックスに記入することにより、情報入力装置に第一線画データの生成を指示できる。
【００１７】
本発明の第二態様に係る制御プログラムは、複数のキャラクタの夫々について、前記キャラクタを表す線画を構成する線分の少なくとも始点及び終点を示す座標情報と、当該線分の順序の情報とを含む第一情報を記憶する第一記憶手段と、情報入力装置に関する情報である第二情報を記憶する第二記憶手段と、紙媒体を配置可能な検出領域を有し、前記検出領域に接触又は近接する記入手段の位置である検出位置を検出する検出手段と、第一指示を入力可能な入力手段とを備えた前記情報入力装置のコンピュータに、前記検出手段によって検出された前記検出位置に基づいて、前記記入手段によって記入された線画である第二線画に対応する検出位置を示す座標情報を含む第二線画データを取得する取得ステップと、前記取得ステップで取得された前記第二線画データを記憶する記憶ステップと、前記入力手段を介して前記第一指示を受け付けたか否かを判断する判断ステップと、前記第一記憶手段に記憶された前記第一情報と、前記第二記憶手段に記憶された前記第二情報とに基づき、前記第二情報を示すキャラクタを表す線画を構成する線分の少なくとも始点及び終点を示す座標情報と、当該線分の順序の情報とを含む第一線画データを生成する生成ステップと、前記判断ステップで前記第一指示が受け付けられたと判断されたことに応じて、前記生成ステップで生成した前記第一線画データを、前記取得ステップで取得した前記第二線画データとは別に外部機器に送信する送信ステップとをコンピュータに実行させる。第二態様によれば、第一態様と同様の効果を奏することができる。
【図面の簡単な説明】
【００１８】
【図１】手書入力システム１の概要を示す図である。
【図２】手書入力システム１の電気的構成を示すブロック図である。
【図３】キャラクタデータを説明するための図である。
【図４】用紙１２１の正面図である。
【図５】第一実施形態に係るデータ生成処理のフローチャートである。
【図６】第二実施形態に係るデータ生成処理のフローチャートである。
【図７】第三実施形態に係るデータ生成処理のフローチャートである。
【図８】ディスプレイ１９２に表示される画像３００を示す図である。
【発明を実施するための形態】
【００１９】
本発明を具体化した実施の形態について、図面を参照して説明する。なお、参照する図面は、本発明が採用しうる技術的特徴を説明するために用いられるものであり、記載されている装置の構成などは、それのみに限定する趣旨ではなく、単なる説明例である。
【００２０】
図１を参照して、手書入力システム１の概要を説明する。以下の説明では、図１の左上側、右下側、上側、下側、右上側、左下側を、夫々、読取装置２及び紙媒体１００の左側、右側、前側、後側、上側、下側とする。
【００２１】
図１に示すように、手書入力システム１は、読取装置２、電子ペン３、スマートフォン１９等を主に備える。読取装置２は、折り畳んで携行可能な、薄型軽量の手書入力装置である。手書入力システム１では、ユーザは電子ペン３を用いて、読取装置２に装着された紙媒体１００の用紙１２０に、線画を記入する。線画は、キャラクタ（文字、数字、記号等）、図形等を含む。読取装置２は、電子ペン３の位置を検出する。読取装置２は、経時的に検出された電子ペン３の複数の位置に基づき、電子ペン３の軌跡を特定する。スマートフォン１９は、読取装置２で特定された電子ペン３の軌跡のデータに基づき、用紙１２０に筆記された線画を電子化した画像データを生成し、記憶する。
【００２２】
読取装置２は、左右一対の左読取装置２Ｌ及び右読取装置２Ｒと、カバー４とを含む。左読取装置２Ｌ及び右読取装置２Ｒは夫々、矩形薄板状である。左読取装置２Ｌ及び右読取装置２Ｒは、カバー４の前面に左右方向に見開き可能に配置される。左読取装置２Ｌ及び右読取装置２Ｒは、フラットケーブル（図示略）により電気的に接続されている。カバー４の左側には、袋状の袋部４Ａが設けられる。左読取装置２Ｌは、袋部４Ａ内に差し込まれることで、カバー４に取り外し可能に装着される。右読取装置２Ｒは、例えば両面テープ又は粘着性を有する樹脂フィルム等により、カバー４の右前面に取り外し可能に貼り付けられる。
【００２３】
紙媒体１００は、左右方向に見開き可能な冊子状である。紙媒体１００では、一対の表紙（表表紙１１０Ｌ及び裏表紙１１０Ｒ）と複数の用紙１２０とが、各々の縁部の一部で綴じられている。一例として、紙媒体１００はＡ５サイズのノートである。表表紙１１０Ｌが左読取装置２Ｌの前面に載置され、且つ、裏表紙１１０Ｒが右読取装置２Ｒの前面に載置されるように、紙媒体１００は読取装置２に装着される。紙媒体１００は、例えば両面テープ又は粘着性を有する樹脂フィルム等により、読取装置２に取り外し可能に装着される。紙媒体１００が読取装置２に位置決めされた状態で、紙媒体１００は読取装置２に装着される。左読取装置２Ｌ及び右読取装置２Ｒは夫々、表表紙１１０Ｌ及び裏表紙１１０Ｒと一体的に移動可能である。
【００２４】
なお、読取装置２は、左読取装置２Ｌ及び右読取装置２Ｒの何れかのみを備えてもよい。この場合、読取装置２に装着可能な紙媒体１００は、例えばＡ５サイズのレポート用紙である。
【００２５】
ユーザは電子ペン３を用いて、読取装置２に装着された紙媒体１００の用紙１２０に線画を記入できる。電子ペン３は、公知の電磁誘導式の電子ペンである。電子ペン３は、筒体３０、芯体３１、コイル３２、可変容量コンデンサ３３、基板３４、コンデンサ３５、及びインク収納部３６を主に備える。
【００２６】
筒体３０は略円筒状で、芯体３１の一部、コイル３２、可変容量コンデンサ３３、基板３４、コンデンサ３５、及びインク収納部３６を内部に収容する。芯体３１は、電子ペン３の先端部に設けられる。芯体３１は、図示外の弾性部材により、電子ペン３の先端側に付勢されている。芯体３１の先端部は、筒体３０の外部に突出している。芯体３１の後端側は、インク収納部３６に接続されている。インク収納部３６はインクを収納し、芯体３１にインクを供給する。ユーザが電子ペン３を用いて用紙１２０に記入すると、インクにより用紙１２０に線画が形成される。
【００２７】
コイル３２は、インク収納部３６の周囲に巻回された状態で、芯体３１と可変容量コンデンサ３３との間に保持されている。可変容量コンデンサ３３は、基板３４により、電子ペン３の内部に固定されている。基板３４には、コンデンサ３５が搭載されている。コンデンサ３５及び可変容量コンデンサ３３は、コイル３２に並列に接続され、周知の共振（同調）回路を構成する。
【００２８】
電子ペン３は更に、検出スイッチ（図示略）を備える。検出スイッチは、基板３４の先端部に実装されている。電子ペン３を用いて用紙１２０に線画が記入されている状態では、芯体３１は、電子ペン３の内部にやや退入している。この状態で、芯体３１の後端部は検出スイッチを押し、検出スイッチはＯＮ状態である。ＣＰＵ２１（図２参照）は、検出スイッチがＯＮ状態であるか否かに基づき、用紙１２０に線画が記入されている状態であるか否かを検出できる。
【００２９】
スマートフォン１９は、タッチパネル１９１及びディスプレイ１９２を備える。タッチパネル１９１は、各種指示を入力するために使用される。ディスプレイ１９２は、画像データに対応する画像を表示可能である。なお、スマートフォン１９の代わりに、汎用ＰＣ、タブレットＰＣ等の端末装置が用いられてもよい。
【００３０】
図２を参照して、手書入力システム１の電気的構成を説明する。読取装置２は、センサ基板７Ｌ、７Ｒ、メイン基板２０、センサ制御基板２８、２９、及び入力部２５を備える。センサ基板７Ｌ、７Ｒは夫々、左読取装置２Ｌ、右読取装置２Ｒの内部に設けられる。入力部２５は、右読取装置２Ｒに設けられる。
【００３１】
メイン基板２０は、ＣＰＵ２１、ＲＡＭ２２、フラッシュＲＯＭ２３、及び無線通信部２４を備える。ＲＡＭ２２、フラッシュＲＯＭ２３、及び無線通信部２４は、ＣＰＵ２１に電気的に接続されている。ＣＰＵ２１は読取装置２の制御を行う。ＲＡＭ２２は、演算データ等の各種データを一時的に記憶する。
【００３２】
フラッシュＲＯＭ２３は、ＣＰＵ２１が読取装置２を制御するために実行する各種プログラムを記憶する。フラッシュＲＯＭ２３は、電子ペン３の軌跡を示すストロークデータを記憶する。フラッシュＲＯＭ２３は、後述の位置特定テーブル及びキャラクタデータを記憶する。フラッシュＲＯＭ２３は、読取装置２に関する情報（以下、内部情報という。）を記憶する。内部情報は、例えば、読取装置２のファームウェアのバージョン情報、ストロークデータの保存回数、電源ＯＮの回数、エラー発生の回数、読取装置２に装着された紙媒体１００の種類、日付、時刻、各種設定値等を含む。フラッシュＲＯＭ２３は、内部情報を数値データで記憶する。無線通信部２４は、外部の電子機器と近距離無線通信を実行するためのコントローラである。
【００３３】
入力部２５は、ＣＰＵ２１に電気的に接続されている。入力部２５は、読取装置２に対する指示を入力するためのスイッチを含む。詳細には、入力部２５は、電源スイッチ及び特殊モードスイッチを含む。電源スイッチは、読取装置２に対して、電源のＯＮ／ＯＦＦの指示を入力するためのスイッチである。特殊モードスイッチは、読取装置２に対して、特定の処理の開始指示等を入力するためのスイッチである。
【００３４】
センサ基板７Ｌ、７Ｒには、左右方向（Ｘ軸方向）及び上下方向（Ｙ軸方向）の各々に、細長いループコイルが多数配列されている。センサ基板７Ｌは、センサ制御基板２８のＡＳＩＣ２８Ａに電気的に接続されている。ＡＳＩＣ２８Ａは、電子ペン３による記入動作がセンサ基板７Ｌ上で行われた場合に、電子ペン３の位置を座標情報として検出する。センサ基板７Ｒは、センサ制御基板２９のＡＳＩＣ２９Ａに電気的に接続されている。ＡＳＩＣ２９Ａは、電子ペン３による記入動作がセンサ基板７Ｒ上で行われた場合に、電子ペン３の位置を座標情報として検出する。ＡＳＩＣ２８Ａ、２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００３５】
センサ基板７Ｌ、７Ｒの夫々は、検出領域を含む。検出領域は、センサ基板７Ｌ、７Ｒの夫々において、ループコイルが配列されている部分に対応する領域である。従って、紙媒体１００が読取装置２に適正位置で装着されると、検出領域上に、紙媒体１００が載置される。センサ基板７Ｌの検出領域及びセンサ基板７Ｒの検出領域は、同一の構成を有する。従って、以下の説明では、センサ基板７Ｌの検出領域についてのみ説明し、センサ基板７Ｒの検出領域の説明は省略する。
【００３６】
線画データが取得される原理を、概略的に説明する。ＣＰＵ２１はＡＳＩＣ２８Ａ、２９Ａを制御して、センサ基板７Ｌ、７Ｒの各々のループコイルに、一本ずつ特定の周波数の電流（励磁用送信電流）を流す。これにより、センサ基板７Ｌ、７Ｒの各々のループコイルから磁界が発生する。この状態で、例えばユーザが電子ペン３を用いて、読取装置２に固定された紙媒体１００の用紙１２０に線画を記入する動作を行うと、電子ペン３はセンサ基板７Ｌ、７Ｒに近接する。そのため、電子ペン３の共振回路は電磁誘導によって共振し、誘導磁界を生じる。
【００３７】
次に、ＣＰＵ２１はＡＳＩＣ２８Ａ、２９Ａを制御して、センサ基板７Ｌ、７Ｒの各々のループコイルからの磁界の発生を停止させる。センサ基板７Ｌ、７Ｒの各々のループコイルは、電子ペン３の共振回路から発せられる誘導磁界を受信する。ＣＰＵ２１はＡＳＩＣ２８Ａ、２９Ａを制御して、センサ基板７Ｌ、７Ｒの各々のループコイルに流れる信号電流（受信電流）を検出させる。ＡＳＩＣ２８Ａ、２９Ａがこの動作を全てのループコイルについて一本ずつ実行することで、受信電流に基づいて電子ペン３の位置が座標情報として検出される。
【００３８】
位置特定テーブルは、読取装置２で検出可能な電子ペン３の全ての座標点と、読取装置２に固定された用紙１２０における座標点との対応を定めるテーブルである。ＣＰＵ２１は、位置特定テーブルを参照することで、検出した電子ペン３の座標点に基づき、用紙１２０における線画の記入位置を特定できる。
【００３９】
本実施形態では、ＣＰＵ２１は、検出した電子ペン３の座標点に基づき、用紙１２１における記入領域１２２及びチェックボックス１３０（図４参照）の何れに線画が記入されているかを判断できる。記入領域１２２に線画が記入されている場合、ＣＰＵ２１は、一の連続する線画毎に線画データを取得し、ＲＡＭ２２に一時記憶する。線画データは、電子ペン３が用紙１２１に接触してから離れるまでの一回の記入動作における、電子ペン３の軌跡を示す複数の座標情報を含む。座標情報は、絶対座標及び相対座標の何れを示してもよい。
【００４０】
チェックボックス１３０に線画が記入されている場合、ＣＰＵ２１は、ＲＡＭ２２に一時記憶されている線画データに基づき、ストロークデータを生成してフラッシュＲＯＭ２３の第一記憶領域に記憶する。ストロークデータは、記入領域１２２に記入されている線画の一部又は全体を示す座標情報を含む。検出領域は指示領域を含む。紙媒体１００が読取装置２に適正位置で装着されると、指示領域とチェックボックス１３０とが位置的に対応する。
【００４１】
スマートフォン１９は、ＣＰＵ４１、ＲＡＭ４２、フラッシュＲＯＭ４３、無線通信部４４、入力回路４５、出力回路４６、タッチパネル１９１、及びディスプレイ１９２を主に備える。ＣＰＵ４１はスマートフォン１９の制御を行う。ＣＰＵ４１は、ＲＡＭ４２、フラッシュＲＯＭ４３、無線通信部４４、入力回路４５、及び出力回路４６と電気的に接続している。
【００４２】
ＲＡＭ４２は種々の一時データを記憶する。無線通信部４４は、外部の電子機器と近距離無線通信を実行するためのコントローラである。入力回路４５は、ＣＰＵ４１へタッチパネル１９１からの指示を送る制御を行う。出力回路４６は、ＣＰＵ４１からの指示に応じてディスプレイ１９２に画像を表示する制御を行う。
【００４３】
フラッシュＲＯＭ４３は、ＣＰＵ４１が実行する各種プログラム、及び、読取装置２から受信したストロークデータを記憶する。スマートフォン１９は、図示外の媒体読取装置（例えば、メモリカードスロット）を備える。スマートフォン１９は、記憶媒体（例えば、メモリカード）に記憶されているプログラムを、媒体読取装置で読み取り、フラッシュＲＯＭ４３にインストールできる。スマートフォン１９は、スマートフォン１９に接続されている外部機器（図示外）又はネットワークからプログラムを受信して、フラッシュＲＯＭ４３にインストールしてもよい。
【００４４】
図３を参照して、キャラクタデータを説明する。キャラクタデータは、キャラクタを表す線画を示す座標情報を含む線画データである。フラッシュＲＯＭ２３は、複数のキャラクタに対応するキャラクタデータを記憶する。詳細には、キャラクタデータは、キャラクタを構成する線分を示す座標情報を含む。より詳細には、キャラクタデータは、キャラクタを構成する線分の少なくとも始点及び終点を示す座標情報を含む。キャラクタが複数の線分により構成される場合には、キャラクタデータは、複数の線分の少なくとも始点及び終点を示す座標情報と、複数の線分の順序の情報とを含む。複数の線分の順序は、例えば、キャラクタの書き順に基づき定められていればよい。
【００４５】
例えば、図３に示すキャラクタ「Ａ」は、線分Ｃ１−Ｃ３、線分Ｃ１−Ｃ５、及び線分Ｃ２−Ｃ４により構成される。キャラクタ「Ａ」のキャラクタデータは、線分Ｃ１−Ｃ３の始点Ｃ１、終点Ｃ３、線分Ｃ１−Ｃ５の始点Ｃ１、終点Ｃ５、及び線分Ｃ２−Ｃ４の始点Ｃ２、終点Ｃ４を示す座標情報を含む。キャラクタデータは、線分の中間点を示す座標情報を含んでもよい。例えば、キャラクタ「Ａ」のキャラクタデータは、線分Ｃ１−Ｃ３の中間点Ｃ２及び線分Ｃ１−Ｃ５の中間点Ｃ４の座標情報を含んでもよい。キャラクタデータは、更に、線分Ｃ１−Ｃ３、線分Ｃ１−Ｃ５、及び線分Ｃ２−Ｃ４の順序の情報を含む。例えば、線分Ｃ１−Ｃ３、線分Ｃ１−Ｃ５、及び線分Ｃ２−Ｃ４の順序は、この順序である。
【００４６】
なお、キャラクタ「Ｃ」のように、キャラクタが曲線を含む場合には、キャラクタは、複数の短い線分により構成される。これにより、複数の線分が全体として曲線をなす。
【００４７】
図４を参照し、用紙１２０の一例である用紙１２１を説明する。用紙１２１は、上下方向及び左右方向に延びる矩形状である。用紙１２１の前後両面（つまり、二つの紙面）に夫々、記入領域１２２及びチェックボックス１３０が設けられている。記入領域１２２及びチェックボックス１３０は、用紙１２１の紙面において互いに独立した領域である。用紙１２１の紙面が、紙媒体１００の一頁に相当する。
【００４８】
記入領域１２２は、電子ペン３を用いて、情報を示す線画を記入するための領域である。詳細には、記入領域１２２は、用紙１２１の紙面の端部に沿って上下方向及び左右方向に延びる略矩形状である。記入領域１２２は、用紙１２１における、チェックボックス１３０を除く領域である。例えばユーザは電子ペン３を用いて、電子化して保存したい各種情報（キャラクタ、図形等）を、記入領域１２２に自由に記入する。
【００４９】
チェックボックス１３０は、電子ペン３を用いて、ＲＡＭ２２に一時記憶されている線画データに基づくストロークデータの生成を指示するための線画を記入可能な領域である。本実施形態では、チェックボックス１３０は、用紙１２１の紙面の右下隅部に設けられる。例えばユーザは、記入領域１２２に線画を記入した後、記入した線画を確定して保存したい場合、チェックボックス１３０にチェックマークを記入する。
【００５０】
図５を参照して、第一実施形態に係るデータ生成処理を説明する。ユーザが電源スイッチを押すと、ＣＰＵ２１は、入力部２５を介して、読取装置２の電源をＯＮする操作を検出する。この場合、ＣＰＵ２１は、フラッシュＲＯＭ２３に記憶されたプログラムに基づいて動作することで、データ生成処理を開始する。
【００５１】
図５に示すように、データ生成処理が開始されると、ＣＰＵ２１は、生成指示を受け付けたか否かを判断する（Ｓ１１）。生成指示は、内部情報を示すストロークデータを生成する指示である。ＣＰＵ２１は、入力部２５を介して、特殊モードスイッチを長押しする操作を検出していない場合、生成指示を受け付けていないと判断する（Ｓ１１：ＮＯ）。この場合、ＣＰＵ２１はＳ１１の処理を繰り返す。ＣＰＵ２１は、入力部２５を介して、特殊モードスイッチを長押しする操作を検出した場合、生成指示を受け付けたと判断する（Ｓ１１：ＹＥＳ）。生成指示を受け付けた場合（Ｓ１１：ＹＥＳ）、ＣＰＵ２１は、内部情報を示すストロークデータを生成し、フラッシュＲＯＭ２３に記憶する（Ｓ１３）。
【００５２】
詳細には、ＣＰＵ２１は、フラッシュＲＯＭ２３から、内部情報を取得する。また、ＣＰＵ２１は、フラッシュＲＯＭ２３から、内部情報を示すキャラクタに対応するキャラクタデータを取得する。例えば、内部情報が日付「２０１５／０３／３１」の場合、「２０１５／０３／３１」の夫々のキャラクタに対応するキャラクタデータが取得される。ＣＰＵ２１は、取得した内部情報とキャラクタデータとに基づき、内部情報を示すキャラクタを表す線画を示すストロークデータを生成する。つまり、内部情報を示す数値データが、内部情報を示すストロークデータに変換される。ＣＰＵ２１は、生成したストロークデータを、フラッシュＲＯＭ２３の第一記憶領域に記憶する。つまり、内部情報を示すストロークデータは、フラッシュＲＯＭ２３において、用紙１２１に記入された線画を示すストロークデータが記憶される領域と同じ領域に記憶される。
【００５３】
Ｓ１３を実行後、ＣＰＵ２１は処理をＳ１１に戻す。ＣＰＵ２１は、入力部２５を介して、読取装置２の電源をＯＦＦする操作を検出すると、データ生成処理を終了する。
【００５４】
スマートフォン１９で、読取装置２の内部情報を示すストロークデータを取得する指示が入力された場合、ＣＰＵ４１は、無線通信部４４を介して読取装置２との間で近距離無線通信を実行する。フラッシュＲＯＭ２３に記憶されている、内部情報を示すストロークデータは、読取装置２からスマートフォン１９に転送される。
【００５５】
図６を参照して、第二実施形態に係るデータ生成処理を説明する。ユーザが電源スイッチを押すと、ＣＰＵ２１は、入力部２５を介して、読取装置２の電源をＯＮする操作を検出する。この場合、ＣＰＵ２１は、フラッシュＲＯＭ２３に記憶されたプログラムに基づいて動作することで、データ生成処理を開始する。
【００５６】
図６に示すように、データ生成処理が開始されると、ＣＰＵ２１は、保守モード移行の指示を受け付けたか否かを判断する（Ｓ２１）。詳細には、ＣＰＵ２１は、入力部２５を介して、保守モード移行の指示の入力を受け付けたか否かを判断する。
【００５７】
例えば、ＣＰＵ２１は、入力部２５を介して、電源スイッチが押されたまま、特殊モードスイッチを押す操作を検出した場合、保守モード移行の指示を受け付けたと判断する（Ｓ２１：ＹＥＳ）。ＣＰＵ２１は、入力部２５を介して、電源スイッチが押されたまま、特殊モードスイッチを押す操作を検出していない場合、保守モード移行の指示を受け付けていないと判断する（Ｓ２１：ＮＯ）。例えば、電源スイッチが押す操作が終了している場合、ＣＰＵ２１は、保守モード移行の指示を受け付けていないと判断する。また、ＣＰＵ２１は、電源スイッチが押された状態で、所定時間の間に特殊モードスイッチを押す操作を検出していない場合、保守モード移行の指示を受け付けていないと判断する。所定時間は、例えば１０秒である。
【００５８】
保守モード移行の指示を受け付けていない場合（Ｓ２１：ＮＯ）、ＣＰＵ２１は、通常モードに移行し（Ｓ２３）、データ生成処理を終了する。保守モード移行の指示を受け付けた場合（Ｓ２１：ＹＥＳ）、ＣＰＵ２１は、保守モードに移行する（Ｓ２５）。
【００５９】
保守モードは、後述のＳ２７以降の処理を実行するモードである。通常モードは、後述のＳ２７以降の処理を行わず、電子ペン３による記入動作が行われた場合に、電子ペン３の位置を座標情報として検出して、線画データを取得する処理を実行するモードである。つまり、通常モードでは、上述の通り、記入領域１２２に線画が記入されている場合、ＣＰＵ２１は、一の連続する線画毎に線画データを取得し、ＲＡＭ２２に一時記憶する。チェックボックス１３０に線画が記入されている場合、ＣＰＵ２１は、ＲＡＭ２２に一時記憶されている線画データに基づき、ストロークデータを生成してフラッシュＲＯＭ２３の第一記憶領域に記憶する。
【００６０】
ＣＰＵ２１は、保守モードに移行すると（Ｓ２５）、スマートフォン１９から、無線通信部２４を介して、データ要求コマンドを受信したか否かを判断する（Ｓ２７）。データ要求コマンドは、スマートフォン１９へのストロークデータの送信を要求するコマンドである。第二実施形態では、データ要求コマンドは、スマートフォン１９への、内部情報を示すストロークデータの送信を要求するコマンドである。データ要求コマンドを受信していない場合（Ｓ２７：ＮＯ）、ＣＰＵ２１はＳ２７の処理を繰り返す。データ要求コマンドを受信した場合（Ｓ２７：ＹＥＳ）、ＣＰＵ２１は、内部情報を示すキャラクタを表す線画を示すストロークデータを生成し、フラッシュＲＯＭ２３に記憶する（Ｓ２９）。
【００６１】
詳細には、ＣＰＵ２１は、第一実施形態のデータ生成処理と同様に、内部情報を示すストロークデータを生成する。ＣＰＵ２１は、生成したストロークデータを、フラッシュＲＯＭ２３の第二記憶領域に記憶する。第二記憶領域は、フラッシュＲＯＭ２３における、第一記憶領域とは異なる領域である。つまり、内部情報を示すストロークデータは、フラッシュＲＯＭ２３において、用紙１２１に記入された線画を示すストロークデータが記憶される領域とは異なる領域に記憶される。
【００６２】
Ｓ２９を実行後、ＣＰＵ２１は、Ｓ２９で生成してフラッシュＲＯＭ２３の第二記憶領域に記憶したストロークデータを、無線通信部２４を介してスマートフォン１９に送信する（Ｓ３１）。その後、ＣＰＵ２１は、処理をＳ２７に戻す。ＣＰＵ２１は、入力部２５を介して、読取装置２の電源をＯＦＦする操作を検出すると、データ生成処理を終了する。
【００６３】
図７を参照して、第三実施形態に係るデータ生成処理を説明する。まず、ユーザは、紙媒体１００を読取装置２に適正位置で装着する。ユーザは、表表紙１１０Ｌが左読取装置２Ｌの前面に載置され、且つ、裏表紙１１０Ｒが右読取装置２Ｒの前面に載置されるように、紙媒体１００を読取装置２に装着する。この状態で、ユーザが電源スイッチを押すと、ＣＰＵ２１は、入力部２５を介して、読取装置２の電源をＯＮする操作を検出する。この場合、ＣＰＵ２１は、フラッシュＲＯＭ２３に記憶されたプログラムに基づいて動作することで、データ生成処理を開始する。
【００６４】
図７に示すように、データ生成処理が開始されると、ＣＰＵ２１は、電子ペン３の検出スイッチがＯＮ状態であるか否かに基づき、用紙１２１に線画が記入されている状態であるか否かを判断する（Ｓ４１）。用紙１２１に線画が記入されている状態である場合（Ｓ４１：ＹＥＳ）、ＣＰＵ２１は、線画の記入位置がチェックボックス１３０内にあるか否かを判断する（Ｓ４３）。
【００６５】
線画の記入位置がチェックボックス１３０内にない場合（Ｓ４３：ＮＯ）、線画の記入位置は記入領域１２２にある。ＣＰＵ２１は、一の連続する線画毎に、線画データを取得する（Ｓ４５）。ＣＰＵ２１は、取得した線画データをＲＡＭ２２に一時記憶する。線画の記入位置がチェックボックス１３０内にある場合（Ｓ４３：ＹＥＳ）、ＣＰＵ２１は、ＲＡＭ２２に一時記憶されている線画データに基づき、ストロークデータを生成して、フラッシュＲＯＭ２３の第一記憶領域に記憶する（Ｓ４７）。
【００６６】
用紙１２１に線画が記入されている状態でない場合（Ｓ４１：ＮＯ）、或いは、Ｓ４５又はＳ４７を実行後、ＣＰＵ２１は、スマートフォン１９から、無線通信部２４を介して、データ要求コマンドを受信したか否かを判断する（Ｓ４９）。第三実施形態では、データ要求コマンドは、フラッシュＲＯＭ２３に記憶されたストロークデータのうち、送信対象のストロークデータを指定する情報を含む。
【００６７】
データ要求コマンドを受信していない場合（Ｓ４９：ＮＯ）、ＣＰＵ２１は、処理をＳ４１に戻す。データ要求コマンドを受信した場合（Ｓ４９：ＹＥＳ）、ＣＰＵ２１は、Ｓ４９で受信したデータ要求コマンドに基づき、データ要求コマンドが合成指示を含むか否かを判断する（Ｓ５１）。合成指示は、Ｓ４７で生成されたストロークデータのうち、送信対象のストロークデータと、内部情報を示すキャラクタデータとを合成して、ストロークデータを生成する指示である。
【００６８】
データ要求コマンドが合成指示を含む場合（Ｓ５１：ＹＥＳ）、ＣＰＵ２１は、Ｓ４７で生成されたストロークデータのうち、送信対象のストロークデータと、内部情報を示すキャラクタデータとを合成して、ストロークデータを生成する（Ｓ５３）。詳細には、ＣＰＵ２１は、フラッシュＲＯＭ２３から、Ｓ４７で生成されたストロークデータのうち、送信対象のストロークデータを取得する。ＣＰＵ２１は、フラッシュＲＯＭ２３から、内部情報を取得する。また、ＣＰＵ２１は、フラッシュＲＯＭ２３から、内部情報を示すキャラクタに対応するキャラクタデータを取得する。ＣＰＵ２１は、取得した内部情報とキャラクタデータとに基づき、内部情報を示すキャラクタを表す線画を示すストロークデータを生成する。ＣＰＵ２１は、送信対象のストロークデータと、内部情報を示すストロークデータとを合成して、ストロークデータを生成する。
【００６９】
データ要求コマンドが合成指示を含まない場合（Ｓ５１：ＮＯ）、又はＳ５３を実行後、ＣＰＵ２１は、ストロークデータを、無線通信部２４を介してスマートフォン１９に送信する（Ｓ５５）。詳細には、Ｓ５３でストロークデータを生成した場合、ＣＰＵ２１は、Ｓ５３で生成したストロークデータを、スマートフォン１９に送信する。データ要求コマンドが合成指示を含まない場合、ＣＰＵ２１は、Ｓ５３でストロークデータを生成していない。この場合、ＣＰＵ２１は、Ｓ４７で生成したストロークデータのうち、送信対象のストロークデータを、スマートフォン１９に送信する。
【００７０】
Ｓ５５を実行後、ＣＰＵ２１は、処理をＳ４１に戻す。ＣＰＵ２１は、入力部２５を介して、読取装置２の電源をＯＦＦする操作を検出すると、データ生成処理を終了する。
【００７１】
第一実施形態、第二実施形態、及び第三実施形態では、スマートフォン１９のＣＰＵ４１は、読取装置２からストロークデータを、無線通信部４４を介して受信すると、受信したストロークデータを、フラッシュＲＯＭ４３に記憶する。なお、読取装置２からスマートフォン１９にストロークデータが転送される場合の通信は、無線通信に限定されず、有線通信であってもよい。
【００７２】
ＣＰＵ４１は、フラッシュＲＯＭ４３に記憶したストロークデータに基づき画像データを生成する。ＣＰＵ４１は、生成した画像データに基づく画像を、ディスプレイ１９２に表示できる。なお、ＣＰＵ４１は、ストロークデータ又はストロークデータに基づく画像データに対して、周知の認識アルゴリズムに従い、文字データベースとのパターンマッチングを行うことにより、文字認識を行ってもよい。
【００７３】
図４及び図８を参照して、第三実施形態において読取装置２で生成されたストロークデータに基づき、スマートフォン１９に画像が表示される具体例を説明する。読取装置２の電源がＯＮされた状態で、読取装置２の前面に、紙媒体１００が装着されている。
【００７４】
ユーザは、電子ペン３を用いて、記入領域１２２に「１．Ｐｒｏｊｅｃｔ」を示す線画２０１及び「２．Ｅｘｈｉｂｉｔ」を示す線画２０２を記入する。読取装置２では、線画２０１及び２０２を示す線画データが取得される（Ｓ４１：ＹＥＳ、Ｓ４３：ＮＯ、Ｓ４５）。その後、ユーザは、電子ペン３を用いて、チェックボックス１３０にチェックマークを記入する。読取装置２では、ＲＡＭ２２に一時記憶されている線画データに基づき、線画２０１及び２０２を示すストロークデータが生成される（Ｓ４１：ＹＥＳ、Ｓ４３：ＹＥＳ、Ｓ４７）。
【００７５】
次に、ユーザは、タッチパネル１９１を介して、読取装置２からストロークデータを取得する指示を、スマートフォン１９に入力する。この時、ユーザは、取得するストロークデータを指定できる。また、ユーザは、取得するストロークデータに内部情報（例えば、日付）を含めるか否かを指示できる。ＣＰＵ４１は、読取装置２からストロークデータを取得する指示の入力を、タッチパネル１９１を介して受け付ける。ＣＰＵ４１は、無線通信部４４を介して読取装置２との間で近距離無線通信を実行し、読取装置２に対してデータ要求コマンドを送信する。
【００７６】
読取装置２は、スマートフォン１９からデータ要求コマンドを受信する（Ｓ４９：ＹＥＳ）。データ要求コマンドは合成指示を含んでいる（Ｓ５１：ＹＥＳ）。従って、読取装置２では、内部情報（例えば、現在の日付）を示すストロークデータが生成され、線画２０１及び２０２を示すストロークデータと、内部情報を示すストロークデータとが合成されて、ストロークデータが生成される（Ｓ５３）。読取装置２は、生成したストロークデータをスマートフォン１９に送信する（Ｓ５５）。
【００７７】
スマートフォン１９は、読取装置２からストロークデータを受信すると、フラッシュＲＯＭ４３に記憶する。スマートフォン１９では、フラッシュＲＯＭ４３に記憶されたストロークデータに基づき、画像データが生成される。生成された画像データに基づき、図８に例示する画像３００が、ディスプレイ１９２に表示される。画像３００は、「１．Ｐｒｏｊｅｃｔ」、「２、Ｅｘｈｉｂｉｔ」と、現在の日付を示す「２０１５/０３/３１」とを含む。
【００７８】
以上説明したように、上記実施形態によれば、フラッシュＲＯＭ２３は、キャラクタを表す線画を示す座標情報を含むキャラクタデータを記憶する。また、フラッシュＲＯＭ２３は、読取装置２に関する情報である内部情報を記憶する。読取装置２では、キャラクタデータと、内部情報とに基づき、内部情報を示すキャラクタを表す線画を示す座標情報を含むストロークデータが生成される（図５のＳ１３、図６のＳ２９、図７のＳ５３）。従って、読取装置２は、内部情報を示すデータを、端末装置において容易に出力可能なデータであるストロークデータとして生成できる。
【００７９】
第一実施形態では、生成指示を受け付けたか否かを判断され、生成指示が受け付けられた場合、内部情報を示すストロークデータが生成される（Ｓ１１：ＹＥＳ、Ｓ１３）。第二実施形態では、データ要求コマンドが受信されたか否かが判断され、データ要求コマンドが受信された場合、内部情報を示すストロークデータが生成される（Ｓ２７：ＹＥＳ、Ｓ２９）。第三実施形態では、合成指示を含むデータ要求コマンドが受信された場合、内部情報を示すストロークデータデータを含むストロークデータが生成される（Ｓ４９：ＹＥＳ、Ｓ５１：ＹＥＳ、Ｓ５３）。つまり、読取装置２は、内部情報を示すストロークデータを生成する指示を受け付けた場合に、内部情報を示すストロークデータを生成できる。
【００８０】
第一実施形態では、ＣＰＵ２１は、入力部２５を介して、特殊モードスイッチを長押しする操作を検出したか否かに基づき、生成指示を受け付けたか否かを判断する（Ｓ１１）。従って、ユーザは、入力部２５を操作することにより、内部情報を示すストロークデータの生成を、読取装置２に指示できる。
【００８１】
読取装置２では、電子ペン３を用いて記入領域１２２に記入された線画を示すストロークデータは、フラッシュＲＯＭ２３の第一記憶領域に記憶される。第二実施形態では、保守モード移行の指示が受け付けられた場合（Ｓ２１：ＹＥＳ）、内部情報を示すストロークデータは、第二記憶領域に記憶される（Ｓ２９）。第二記憶領域は、フラッシュＲＯＭ２３における、第一記憶領域とは異なる領域である。従って、ユーザは、保守モード移行の指示を読取装置２に入力することにより、電子ペン３を用いて記入された線画を示すストロークデータと、内部情報を示すストロークデータとを、フラッシュＲＯＭ２３における異なる領域に記憶するよう、読取装置２に指示できる。読取装置２は、スマートフォン１９に内部情報を示すストロークデータを送信する場合、第二記憶領域に記憶されているストロークデータを送信すればよい。従って、読取装置２は、第一記憶領域に記憶されているストロークデータがスマートフォン１９に誤って送信されることを防止できる。
【００８２】
第三実施形態では、電子ペン３を用いて記入領域１２２に線画が記入されると、記入された線画を示す線画データが取得され、ストロークデータが生成される（Ｓ４１：ＹＥＳ、Ｓ４３：ＮＯ、Ｓ４５、Ｓ４９：ＮＯ、Ｓ４１、Ｓ４３：ＹＥＳ、Ｓ４７）。そして、内部情報を示すストロークデータが生成され、記入された線画を示すストロークデータと、内部情報を示すストロークデータとが合成されて、ストロークデータが生成される（Ｓ５３）。読取装置２は、内部情報と、電子ペン３を用いて記入された線画との両方を示す座標情報を含むストロークデータを生成できる。
【００８３】
読取装置２では、紙媒体１００は、センサ基板７Ｌ、７Ｒの検出領域上に載置可能である。読取装置２は、電子ペン３を用いて紙媒体１００に記入された線画を示すストロークデータを取得できる。
【００８４】
上記実施形態において、読取装置２が、本発明の「情報入力装置」に相当する。キャラクタデータが、本発明の「第一情報」に相当する。キャタクタデータを記憶するフラッシュＲＯＭ２３が、本発明の「第一記憶手段」に相当する。内部情報が、本発明の「第二情報」に相当する。内部情報を記憶するフラッシュＲＯＭ２３が、本発明の「第二記憶手段」に相当する。
【００８５】
図５に示す第一実施形態に係るデータ生成処理のＳ１３を実行するＣＰＵ２１、図６に示す第二実施形態に係るデータ生成処理のＳ２９を実行するＣＰＵ２１、及び図７に示す第三実施形態に係るデータ生成処理のＳ５３を実行するＣＰＵ２１が、本発明の「第一生成手段」に相当する。第一実施形態に係るデータ生成処理のＳ１１を実行するＣＰＵ２１、第二実施形態に係るデータ生成処理のＳ２７を実行するＣＰＵ２１、及び第三実施形態に係るデータ生成処理のＳ４９及びＳ５１を実行するＣＰＵ２１が、本発明の「第一判断手段」に相当する。入力部２５が、本発明の「入力手段」に相当する。
【００８６】
電子ペン３が、本発明の「記入手段」に相当する。センサ基板７Ｌ、７Ｒ、及び、センサ制御基板２８、２９が、本発明の「検出手段」に相当する。第一実施形態に係るデータ生成処理のＳ１１を実行するＣＰＵ２１、第二実施形態に係るデータ生成処理のＳ２７を実行するＣＰＵ２１、及び第三実施形態に係るデータ生成処理のＳ４９及びＳ５１を実行するＣＰＵ２１が、本発明の「第一判断手段」に相当する。入力部２５が、本発明の「入力手段」に相当する。
【００８７】
検出した電子ペン３の座標点に基づき、線画データを取得し、ＲＡＭ２２に一時記憶するＣＰＵ２１、及び、第三実施形態に係るデータ生成処理のＳ４５を実行するＣＰＵ２１が、本発明の「取得手段」に相当する。フラッシュＲＯＭ２３の第一記憶領域が、本発明の「第三記憶手段」に相当する。フラッシュＲＯＭ２３の第二記憶領域が、本発明の「第四記憶手段」に相当する。第二実施形態に係るデータ生成処理のＳ２１を実行するＣＰＵ２１が、本発明の「第二判断手段」に相当する。第二実施形態に係るデータ生成処理のＳ２９を実行するＣＰＵ２１が、本発明の「記憶制御手段」に相当する。第三実施形態に係るデータ生成処理のＳ５３を実行するＣＰＵ２１が、本発明の「第二生成手段」に相当する。
【００８８】
Ｓ１３の処理、Ｓ２９の処理、及びＳ５３の処理が、本発明の「生成ステップ」に相当する。
【００８９】
本発明は上記実施形態に限定されるものではなく、種々の変更が可能である。図４に示す用紙１２１における記入領域１２２及びチェックボックス１３０の位置、形状、サイズなどは、上記実施形態に限定されない。例えば、チェックボックス１３０は、用紙１２１の左上隅部、左下隅部、及び右上隅部の何れかに設けられてもよい。
【００９０】
第一実施形態に係るデータ生成処理のＳ１１では、ＣＰＵ２１は、入力部２５を介して、特殊モードスイッチを長押しする操作を検出したか否かに基づき、生成指示を受け付けたか否かを判断する。しかしながら、Ｓ１１の判断は、他の方法で行われてもよい。例えば、ＣＰＵ２１は、検出された電子ペン３の位置が検出領域の所定領域にある場合に、生成指示を受け付けたと判断してもよい。この場合、例えば、表表紙１１０Ｌの裏面１１１にチェックボックスが設けられてもよい。紙媒体１００が読取装置２に適正位置で装着された場合に、所定領域とチェックボックスとが位置的に対応すればよい。ユーザは、チェックボックスに線画を記入することにより、内部情報を示すストロークデータの生成を、読取装置２に指示できる。この場合、検出領域の所定領域が、本発明の「指示領域」に相当する。
【００９１】
データ要求コマンドは、内部情報を指定する指示を含んでもよい。この場合、ユーザは、タッチパネル１９１を介して、読取装置２からストロークデータを取得する指示をスマートフォン１９に入力する時に、ユーザの所望する内部情報を指定する指示も入力すればよい。ＣＰＵ４１は、内部情報を指定する指示の入力を、タッチパネル１９１を介して受け付ければよい。この場合、ユーザは、所望の内部情報（例えば、読取装置２のファームウェアのバージョン情報）を、ディスプレイ１９２に表示させて、閲覧できる。
【００９２】
第三実施形態では、記入領域１２２に線画が記入され、チェックボックス１３０にチェックマークが記入されると、記入された線画を示すストロークデータが生成される（Ｓ４１：ＹＥＳ、Ｓ４３：ＮＯ、Ｓ４５、Ｓ４９：ＮＯ、Ｓ４１、Ｓ４３：ＹＥＳ、Ｓ４７）。その後、合成指示を含むデータ要求コマンドが受信された場合、記入された線画を示すストロークデータと、内部情報を示すキャラクタデータとが合成されて、ストロークデータが生成される（Ｓ４９：ＹＥＳ、Ｓ５１：ＹＥＳ、Ｓ５３）。そして、生成されたストロークデータが、スマートフォン１９に送信される（Ｓ５５）。
【００９３】
しかしながら、記入領域１２２に線画が記入され、チェックボックス１３０にチェックマークが記入された場合に、記入された線画を示すストロークデータと、内部情報を示すキャラクタデータとが合成されて、ストロークデータが生成されてもよい。その後、データ要求コマンドが受信された場合、生成されたストロークデータが、スマートフォン１９に送信されてもよい。つまり、チェックボックス１３０に線画が記入された場合に、ＣＰＵ２１は、合成指示を受け付けたと判断してもよい。そして、データ要求コマンドが受信された場合に、生成したストロークデータを送信する指示を受け付けたと判断してもよい。
【００９４】
この場合、第三実施形態のデータ生成処理において、ＣＰＵ２１は、Ｓ４３を実行後、Ｓ４７及びＳ５３を実行すればよい。Ｓ４９で受信されるデータ要求コマンドは合成指示を含まなくてよく、Ｓ５１の処理は省略されればよい。従って、Ｓ４９でデータ要求コマンドが受信された場合、ＣＰＵ２１は、Ｓ５１及びＳ５３を実行せず、Ｓ５５を実行すればよい。この場合でも、ＣＰＵ２１は、内部情報と、記入領域１２２に記入された線画との両方を示す座標情報を含むストロークデータを生成できる。この場合、Ｓ４３を実行するＣＰＵ２１が、本発明の「第一判断手段」に相当する。検出領域の指示領域が、本発明の「指示領域」に相当する。
【００９５】
第一実施形態のデータ生成処理（図５参照）、第二実施形態のデータ生成処理（図６参照）、及び第三実施形態のデータ生成処理（図７参照）は夫々、ＣＰＵ２１以外の電子部品（例えば、ＡＳＩＣ）によって実行されてもよい。第一実施形態のデータ生成処理、第二実施形態のデータ生成処理、及び第三実施形態のデータ生成処理は夫々、複数の電子機器（つまり、複数のＣＰＵ）によって分散処理されてもよい。
【符号の説明】
【００９６】
２    読取装置
２Ｌ    左読取装置
２Ｒ    右読取装置
３    電子ペン
７Ｌ    センサ基板
７Ｒ    センサ基板
２１    ＣＰＵ
２３    フラッシュＲＯＭ
２８    センサ制御基板
２９    センサ制御基板
１００    紙媒体
１１１    裏面
１２０    用紙
１２１    用紙
１２２    記入領域
１３０    チェックボックス
２０１    線画
２０２    線画
【図１】
0006380205.tif 000002
【図２】
0006380205.tif 000003
【図３】
0006380205.tif 000004
【図４】
0006380205.tif 000005
【図５】
0006380205.tif 000006
【図６】
0006380205.tif 000007
【図７】
0006380205.tif 000008
【図８】
0006380205.tif 000009